(57)【要約】      （修正有）【課題】感知器の設置位置の確認を支援するシステムを提供する。【解決手段】支援システムは、建物の各所に配置され、自己の識別情報を送信する識別情報送信部１１を有する火災感知器１と、自己の現在位置を特定して位置情報を生成する位置検出部７２と、火災感知器１から識別情報を受信すると、位置情報を送信する端末位置情報送信部７４とを有する携帯端末７と、識別情報と火災感知器１の設置位置情報とを対応付けてなる防災設備情報を記憶する防災設備情報記憶部８０２と、携帯端末７の位置情報を受信すると、該位置情報に基づき設置位置情報に対応付けられた識別情報を特定するアドレス特定部８０７と、特定された識別情報を携帯端末７に送信するアドレス送信部８０８とを有する情報サーバ８とを備える。【選択図】図２
2020009465.tif 000002
【特許請求の範囲】
【請求項１】
建物の各所に配置され、自己の識別情報を送信する識別情報送信手段を有する感知器と、
自己の現在位置を特定して位置情報を生成する位置検出手段と、前記感知器から前記識別情報を受信すると、前記位置情報を送信する端末位置情報送信部とを有する携帯端末と、
前記識別情報と前記感知器の設置位置情報とを対応付けてなる防災設備情報を記憶する防災設備情報記憶手段と、
前記携帯端末の位置情報を受信すると、該位置情報に基づき前記設置位置情報に対応付けられた識別情報を特定するアドレス特定部と、
前記特定された識別情報を前記携帯端末に送信するアドレス送信部と
を備え、
前記感知器から受信した識別情報と、前記特定された識別情報とを前記携帯端末で表示する
ことを特徴とする支援システム。
【請求項２】
建物の各所に配置され、自己の識別情報を送信する識別情報送信手段を有する感知器と、
自己の現在位置を特定して位置情報を生成する位置検出手段を有する携帯端末と、
前記識別情報と前記感知器の設置位置情報とを対応付けてなる防災設備情報を記憶する防災設備情報記憶手段と、
前記感知器と接続され、前記感知器の状態変化を示す感知器状態変化情報と前記識別情報とを含む感知器状態情報を送信する感知器状態情報送信手段を有する火災受信機と、
前記感知器状態情報を受信すると、前記識別情報に対応する設置位置情報が示す設置位置を特定し、前記感知器状態変化情報の送信先となる前記携帯端末の位置情報を取得する端末位置情報取得部と
を備え、
状態変化した前記感知器の情報を前記携帯端末で表示する
ことを特徴とする支援システム。
【請求項３】
前記携帯端末の現在位置から前記設置位置までの最短経路を算出し、該最短経路を前記携帯端末に表示させる最短経路情報を送信する最短経路情報送信手段をさらに備えたことを特徴とする請求項２に記載の支援システム。
【請求項４】
建物の各所に配置される感知器であって、自己の設置位置を示す設置位置情報を記憶する設置位置情報記憶手段と、自己の識別情報と前記設置位置情報とを含む感知器位置情報を送信する感知器位置情報送信手段とを有する感知器と、
前記感知器から前記感知器位置情報を受信すると、自己の現在位置を特定して位置情報を生成する位置検出手段と有する携帯端末と
を備え、
前記携帯端末が送信する前記位置情報を、前記設置位置情報記憶手段に記憶する
ことを特徴とする支援システム。
【発明の詳細な説明】
【技術分野】
【０００１】
本発明は、感知器の設置を支援する支援システムに関する。
【背景技術】
【０００２】
建物に火災報知設備を施工する際には、建物の建屋図を基にして、消防法に適合するように感知器の設置位置を記載した防災設備図を作成する。作業員は、防災設備図に基づいて感知器を設置してゆき、すべての又は一定の範囲の感知器の設置が終わると、設置した感知器の位置が防災設備図に記載された設置位置と合致しているか否かを確認する（例えば、特許文献１参照）。
【先行技術文献】
【特許文献】
【０００３】
【特許文献１】特開平６−１６２３６３号公報
【発明の概要】
【発明が解決しようとする課題】
【０００４】
本発明は、感知器の確認を支援することを目的とする。
【課題を解決するための手段】
【０００５】
上述した課題を解決するため、本発明に係る支援システムは、建物の各所に配置され、自己の識別情報を送信する識別情報送信手段を有する感知器と、自己の現在位置を特定して位置情報を生成する位置検出手段と、前記感知器から前記識別情報を受信すると、前記位置情報を送信する端末位置情報送信部とを有する携帯端末と、前記識別情報と前記感知器の設置位置情報とを対応付けてなる防災設備情報を記憶する防災設備情報記憶手段と、前記携帯端末の位置情報を受信すると、該位置情報に基づき前記設置位置情報に対応付けられた識別情報を特定するアドレス特定部と、前記特定された識別情報を前記携帯端末に送信するアドレス送信部とを備え、前記感知器から受信した識別情報と、前記特定された識別情報とを前記携帯端末で表示することを特徴とする。
【発明の効果】
【０００６】
本発明に係る支援システムによれば、感知器の確認を支援することができる。
【図面の簡単な説明】
【０００７】
【図１】自火報設備１００及び支援システム２００の構成の一例を示す図である。
【図２】火災感知器１、携帯端末７及び情報サーバ８の機能的構成の一例を示すブロック図である。
【図３】設置位置自動反映動作の一例を示すシーケンス図である。
【図４】アドレス確認動作の一例を示すシーケンス図である。
【図５】作動時／故障時動作の一例を示すシーケンス図である。
【発明を実施するための形態】
【０００８】
１．実施形態
図１は、本発明の一実施形態に係る自動火災報知設備１００（以下、「自火報設備１００」という。）及び支援システム２００の構成の一例を示す図である。自火報設備１００と支援システム２００とは、信号線Ｃ１を介して接続される。
【０００９】
＜自火報設備１００の構成＞
自動警報設備である自火報設備１００は、火災感知器１と、ガス漏れ検知器２と、火災受信機３とを備える。自火報設備１００は、Ｐ型システムであってもＲ型システムであってもよい。火災感知器１とガス漏れ検知器２は、防火対象物である建物の各所に設置される。ここで、建物とは、例えば、ホテル、マンション等の集合住宅、オフィスビル、商業施設などである。各所とは、部屋、廊下、通路、階段、エスカレータ、エレベータの昇降路等の各区画である。火災感知器１とガス漏れ検知器２は、信号線Ｃ２を介して、又は信号線Ｃ２と中継器４とを介して、火災受信機３と接続される。
【００１０】
火災感知器１とガス漏れ検知器２は、各々識別情報（以下、「アドレス」という。）を有し、火災やガス漏れや自己の故障等の状態変化を感知すると、当該状態変化を示す状態変化信号であって、自己のアドレスを含む状態変化信号を火災受信機３に送信する。火災受信機３は、火災感知器１又はガス漏れ検知器２から状態変化信号を受信すると、その状態変化を示す感知器状態変化情報とアドレスとを含む感知器状態情報を「感知器状態情報送信手段」の一例である図示しない感知器状態情報送信部により支援システム２００に送信する。すなわち、火災受信機３は、感知器状態情報送信手段を有する。
【００１１】
また、自火報設備１００は、建物内に配置される音声警報装置５を備える。音声警報装置５は、信号線Ｃ２と中継器６とを介して火災受信機３に接続される。音声警報装置５は、火災受信機３からの信号に応じて異状感知放送を出力する。
【００１２】
＜火災感知器１の構成＞
火災感知器１は、例えば、煙感知器、熱感知器、炎感知器等の感知器である。本実施形態では、光電式の煙感知器である場合を想定する。
【００１３】
図２は、火災感知器１、携帯端末７及び情報サーバ８の機能的構成の一例を示すブロック図である。図２（ａ）は、火災感知器１の設置時に、その設置位置が防災設備図上の設置位置とずれている場合に後者を自動的に修正する動作（以下、「設置位置自動反映動作」という。）に関する機能を示す。図２（ｂ）は、火災感知器１の設置時に、設置された火災感知器１のアドレスと、防災設備図上、当該位置に設置されるべき火災感知器１のアドレスとを作業員に照合させるための動作（以下、「アドレス確認動作」という。）に関する機能を示す。図２（ｃ）は、火災感知器１が作動時又は故障時に、当該火災感知器１の位置を自衛消防隊員や作業員に通知するための動作（以下、「作動時／故障時動作」という。）に関する機能を示す。
【００１４】
火災感知器１は、図２に示すように、識別情報送信部１１と、火災検出部１２と、状態変化信号送信部１３とを備える。
【００１５】
識別情報送信部１１は、「識別情報送信手段」の一例であり、火災感知器１のアドレスを送信する発信機である。具体的には、火災感知器１のアドレスが重畳されたビーコン信号を定期的に発信する。本実施形態では、省電力の近距離無線通信規格であるＢＬＥ（Bluetooth（登録商標） Low Energy）に従ってビーコン信号を発信する。
【００１６】
火災検出部１２は、火災時に発生する煙を検知して火災を検出する。火災検出部１２は、図示せぬ発光部及び受光部を備える。火災検出部１２は、発光部により放射されて、煙により散乱された光が受光部により所定の光量以上受光された場合に火災を検出する。
【００１７】
状態変化信号送信部１３は、火災検出部１２が火災を検出すると、状態変化信号として火災信号を火災受信機３に送信する。また、状態変化信号送信部１３は、火災感知器１において故障が発生した場合に、状態変化信号として故障信号を火災受信機３に送信する。
【００１８】
＜支援システム２００の構成＞
支援システム２００は、火災感知器１の設置や点検を行う作業員や、自衛消防隊の隊員が携帯する携帯端末７と、施工確認手段である情報サーバ８とを備える。携帯端末７と情報サーバ８とは、無線ＬＡＮ等の通信回線Ｃ３を介して接続される。情報サーバ８は、信号線Ｃ１を介して火災受信機３と接続される。
【００１９】
＜携帯端末７の構成＞
携帯端末７は、スマートフォンやタブレット端末や携帯電話機等の携帯型のコンピュータ装置である。すなわち、携帯端末７は、ＣＰＵ等の演算部や、フラッシュメモリ等の記憶部や、タッチパネル等のユーザインタフェース部や、データ通信カード等の通信部等を備える。この携帯端末７は、図２に示すように、識別情報受信部７１と、位置検出部７２と、感知器位置情報送信部７３と、端末位置情報送信部７４と、アドレス受信部７５と、アドレス表示部７６と、経路案内情報受信部７７と、経路案内表示部７８という機能を備える。これらの機能は、演算部が、記憶部に記憶されるプログラムを実行することにより実現される。
【００２０】
識別情報受信部７１は、火災感知器１の識別情報送信部１１から定期的に送信されるビーコン信号を受信する。識別情報受信部７１は、ＢＬＥに準拠した通信モジュールである。識別情報受信部７１により受信されたビーコン信号は図示せぬ復調部により復調され、当該信号に重畳された火災感知器１のアドレスが抽出される。
【００２１】
位置検出部７２は、「位置検出手段」の一例であり、自己の位置を特定して位置情報を生成する。具体的には、無線ＬＡＮのアクセスポイントから発信されるビーコン信号を受信して、その電波強度に基づいて測位を行う。
【００２２】
感知器位置情報送信部７３は、「感知器位置情報送信手段」の一例であり、識別情報受信部７１により受信された火災感知器１のアドレスと、位置検出部７２により生成された位置情報とを含む感知器位置情報を情報サーバ８に対して送信する。
【００２３】
端末位置情報送信部７４は、位置検出部７２により生成された位置情報を情報サーバ８に対して送信する。
【００２４】
アドレス受信部７５は、情報サーバ８から、当該サーバにおいて特定された火災感知器１のアドレスを受信する。受信されるアドレスは、端末位置情報送信部７４により送信される位置情報に対応する火災感知器１のアドレスである。
【００２５】
アドレス表示部７６は、識別情報受信部７１により受信された火災感知器１のアドレスと、アドレス受信部７５により受信されたアドレスとをユーザインタフェース部に表示させる。
【００２６】
経路案内情報受信部７７は、情報サーバ８から後述する経路案内情報を受信する。
【００２７】
経路案内表示部７８は、経路案内情報受信部７７により受信された経路案内情報に基づいて、経路案内画面をユーザインタフェース部に表示させる。この経路案内画面には、火災感知器１の設置位置と携帯端末７の現在位置とを示す建物の平面図が含まれる。この平面図には、携帯端末７の現在位置から火災感知器１の設置位置までの最短経路が示される。
【００２８】
＜情報サーバ８の構成＞
情報サーバ８は、「施工確認手段」の一例であり、作業員や自衛消防隊の活動を支援するための装置である。情報サーバ８は、ＣＰＵ等の演算部や、ＨＤＤ等の記憶部や、データ通信カード等の通信部等を備える。なお、記憶部は、通信回線Ｃ３を介して接続される外部サーバに設置されてもよい。情報サーバ８は、図２に示すように、感知器位置情報受信部８０１と、防災設備情報記憶部８０２と、設置位置特定部８０３と、判定部８０４と、防災設備情報修正部８０５と、端末位置情報受信部８０６と、アドレス特定部８０７と、アドレス送信部８０８と、感知器状態情報受信部８０９と、端末位置情報取得部８１０と、建物情報記憶部８１１と、経路探索部８１２と、経路案内情報送信部８１３という機能を備える。これらの機能は、演算部が、記憶部に記憶されるプログラムを実行することにより実現される。
【００２９】
感知器位置情報受信部８０１は、携帯端末７から感知器位置情報を受信する。
【００３０】
防災設備情報記憶部８０２は、「防災設備情報記憶手段」の一例であり、防火対象物である建物内に設置される各火災感知器１のアドレスと設置位置情報とを対応付けてなる防災設備情報を記憶する。建物の建屋図に防災設備情報を反映させたものが防災設備図である。
【００３１】
設置位置特定部８０３は、感知器位置情報受信部８０１により受信された感知器位置情報に含まれる火災感知器１のアドレスに対応する防災設備情報における設置位置を、防災設備情報記憶部８０２を参照して特定する。
【００３２】
判定部８０４は、「判定手段」の一例であり、感知器位置情報受信部８０１により受信された感知器位置情報に含まれる携帯端末７の位置情報が示す位置と、設置位置特定部８０３により特定された防災設備情報における設置位置とが合致するか否かを判定する。ここで、位置が合致するとは、位置情報が座標系で表される場合には、位置座標同士の誤差が所定の範囲内に収まる場合をいう。具体的には、例えば、各位置に対応する区画同士が一致する場合をいう。
【００３３】
防災設備情報修正部８０５は、「防災設備情報修正手段」の一例であり、判定部８０４が携帯端末７の位置と火災感知器１の設置位置とが合致しないと判定した場合に、防災設備情報記憶部８０２に記憶される防災設備情報を修正する。具体的には、防災設備情報を構成する当該設置位置情報を、携帯端末７の位置情報に基づいて修正する。より具体的には、当該設置位置情報を、携帯端末７の位置情報で更新する。
【００３４】
端末位置情報受信部８０６は、携帯端末７から当該端末の位置情報を受信する。
【００３５】
アドレス特定部８０７は、端末位置情報受信部８０６により受信された位置情報に対応する防災設備情報における火災感知器１のアドレスを、防災設備情報記憶部８０２を参照して特定する。
【００３６】
アドレス送信部８０８は、アドレス特定部８０７により特定された火災感知器１のアドレスを携帯端末７に対して送信する。
【００３７】
感知器状態情報受信部８０９は、火災受信機３から感知器状態情報を受信する。感知器状態情報受信部８０９により感知器状態情報が受信されると、設置位置特定部８０３は、受信された感知器状態情報に含まれる火災感知器１のアドレスに対応する防災設備情報における設置位置を、防災設備情報記憶部８０２を参照して特定する。
【００３８】
端末位置情報取得部８１０は、状態変化情報の送信先となる携帯端末７の位置情報を取得する。具体的には、携帯端末７に対して位置情報の要求信号を送信し、当該端末から返信される位置情報を取得する。
【００３９】
建物情報記憶部８１１は、防火対象物である建物内の各経路を表す経路情報と、当該建物内の各フロアの平面図を表す画像情報である地図情報とを記憶する。
【００４０】
経路探索部８１２は、端末位置情報取得部８１０により取得された位置情報が示す位置から、設置位置特定部８０３により特定された設置位置までの最短経路を、建物情報記憶部８１１に記憶される経路情報に基づいて算出する。
【００４１】
経路案内情報送信部８１３は、最短経路情報である経路案内情報を携帯端末７に送信する最短経路情報送信手段である。具体的には、経路案内情報送信部８１３は、経路探索部８１２により算出された最短経路を示す最短経路情報と、当該経路を案内するために必要な地図情報とを含む経路案内情報を携帯端末７に送信する。なお、この経路案内情報には、状態変化を感知した火災感知器１の設置位置を示す設置位置情報と、携帯端末７の現在位置を示す位置情報とが含まれる。すなわち、経路案内情報は、状態変化を示す状態変化情報でもあり、経路案内情報送信部８１３は状態変化情報送信手段でもある。
【００４２】
＜支援システム２００の動作＞
次に、支援システム２００の動作について説明する。具体的には、設置位置自動反映動作と、アドレス確認動作と、作動時／故障時動作と、点検時動作について説明する。ここで、点検時動作とは、火災感知器１の点検時に、その設置位置が防災設備図上つまり防災設備情報の設置位置とずれている場合に後者を自動的に修正する動作である。
【００４３】
＜設置位置自動反映動作＞
図３は、設置位置自動反映動作の一例を示すシーケンス図である。図２（ａ）および図３に基づき、設置位置自動反映の動作の一例を説明する。作業員が火災感知器１を設置後、当該作業員が携帯する携帯端末７の識別情報受信部７１が、火災感知器１の識別情報送信部１１により送信されたビーコン信号を受信すると（Ｓａ１）、携帯端末７の位置検出部７２は、自端末の位置情報を生成する（Ｓａ２）。位置情報が生成されると、感知器位置情報送信部７３は、ステップＳａ１で受信されたビーコン信号に重畳された火災感知器１のアドレスと、ステップＳａ２で生成された位置情報とを含む感知器位置情報を情報サーバ８に対して送信する（Ｓａ３）。
【００４４】
情報サーバ８において、感知器位置情報受信部８０１により感知器位置情報が受信されると、設置位置特定部８０３は、受信された感知器位置情報に含まれる火災感知器１のアドレスに対応する防災設備情報における設置位置を、防災設備情報記憶部８０２を参照して特定する（Ｓａ４）。設置位置が特定されると、判定部８０４は、受信された感知器位置情報に含まれる携帯端末７の位置情報が示す位置と、ステップＳａ４で特定された設置位置とが合致するか否かを判定する（Ｓａ５）。この判定の結果、携帯端末７の位置と防災設備情報における火災感知器１の設置位置とが合致する場合には、本動作は終了する。一方、この判定の結果、携帯端末７の位置と防災設備情報における火災感知器１の設置位置とが合致しない場合には、すなわち、火災感知器１の実際の設置位置と防災設備図上の設置位置とがずれている場合には、防災設備情報修正部８０５が、防災設備情報記憶部８０２に記憶される防災設備情報を修正する（Ｓａ６）。具体的には、防災設備情報を構成する当該設置位置情報を、携帯端末７の位置情報で更新する。
以上が、設置位置自動反映動作についての説明である。
【００４５】
この設置位置自動反映動作によれば、火災感知器１を設置する作業員は、自身が携帯する携帯端末７で火災感知器１のビーコン信号を受けるだけで、当該感知器が防災設備図上の設置位置に設置されているか否かを判定することができる。また、防災設備図上の設置位置に設置されていない場合には、防災設備図上の設置位置を、実際に火災感知器１が設置されている位置に自動的に修正することができる。
【００４６】
＜アドレス確認動作＞
図４は、アドレス確認動作の一例を示すシーケンス図である。図２（ｂ）および図４に基づき、アドレス確認動作の一例を説明する。作業員が火災感知器１を設置後、当該作業員が携帯する携帯端末７の識別情報受信部７１が、火災感知器１の識別情報送信部１１により送信されたビーコン信号を受信すると（Ｓｂ１）、携帯端末７の位置検出部７２は、自端末の位置情報を生成する（Ｓｂ２）。位置情報が生成されると、端末位置情報送信部７４は、ステップＳｂ２で生成された位置情報を情報サーバ８に対して送信する（Ｓｂ３）。
【００４７】
情報サーバ８において、端末位置情報受信部８０６により位置情報が受信されると、アドレス特定部８０７は、受信された位置情報に対応するアドレスを、防災設備情報記憶部８０２を参照して特定する（Ｓｂ４）。アドレスが特定されると、アドレス送信部８０８は、特定された火災感知器１のアドレスを携帯端末７に対して送信する（Ｓｂ５）。
【００４８】
携帯端末７において、アドレス受信部７５によりアドレスが受信されると、アドレス表示部７６は、ステップＳｂ１で受信されたビーコン信号に重畳された火災感知器１のアドレスと、アドレス受信部７５により受信されたアドレスとをユーザインタフェース部に表示させる（Ｓｂ６）。表示された２つのアドレスが異なっている場合は、当該位置に、防災設備図上、設置されるべき火災感知器１とは異なる火災感知器１が設置されていることを示している。そのため、作業員は、ユーザインタフェース部に表示された２つのアドレスの異同を確認することで、火災感知器１の取り違えに気づくことができる。
以上が、アドレス確認動作についての説明である。
【００４９】
このアドレス確認動作によれば、火災感知器１を設置する作業員は、自身が携帯する携帯端末７で火災感知器１のビーコン信号を受けるだけで、当該設置位置に正しいアドレスの火災感知器１が設置されているか否かを判定することができる。
【００５０】
＜作動時／故障時動作＞
図５は、作動時／故障時動作の一例を示すシーケンス図である。図２（ｃ）および図５に基づき、作動時／故障時動作の一例を説明する。火災受信機３は、火災感知器１の火災検出部１２が火災を検出したり、火災感知器１に故障が発生したりして、状態変化信号送信部１３が送信した状態変換信号を受信し、図示しない感知器状態情報送信部が感知器状態情報を情報サーバ８に送信する。
【００５１】
火災受信機３から送信された感知器状態情報が、情報サーバ８の感知器状態情報受信部８０９により受信されると（Ｓｃ１）、情報サーバ８の設置位置特定部８０３は、受信された感知器状態情報に含まれる火災感知器１のアドレスに対応する防災設備情報における設置位置を、防災設備情報記憶部８０２を参照して特定する（Ｓｃ２）。設置位置が特定されると、端末位置情報取得部８１０は、状態変化情報の送信先となる携帯端末７の位置情報を取得する（Ｓｃ３）。携帯端末７の位置情報が取得されると、経路探索部８１２は、ステップＳｃ３で取得された位置情報が示す位置から、ステップＳｃ２で特定された設置位置までの最短経路を、建物情報記憶部８１１に記憶される経路情報に基づいて算出する（Ｓｃ４）。最短経路が算出されると、経路案内情報送信部８１３は、ステップＳｃ４で算出された最短経路を示す最短経路情報と、当該経路を案内するために必要な地図情報とを含む経路案内情報を携帯端末７に送信する（Ｓｃ５）。
【００５２】
携帯端末７において、経路案内情報受信部７７により経路案内情報が受信されると、経路案内表示部７８は、受信された経路案内情報に基づいて経路案内画面をユーザインタフェース部に表示させる（Ｓｃ６）。当該端末を携帯する自衛消防隊員又は作業員は、この経路案内画面を参照することで、状態変化を感知した火災感知器１の位置を知ることができる。また、当該感知器までの最短経路を知ることができる。
以上が、作動時／故障時動作についての説明である。
【００５３】
＜点検時動作＞
点検時動作は、基本的には上述の設置位置自動反映動作と同じである。図３に示すように、火災感知器１の点検時に作業員が携帯する携帯端末７が、火災感知器１から送信されるビーコン信号を受信すると（Ｓａ１）、携帯端末７は、ビーコン信号に重畳された火災感知器１のアドレスと、自端末の位置情報とを含む感知器位置情報を情報サーバ８に送信する（Ｓａ３）。感知器位置情報を受信した情報サーバ８において、当該情報に含まれるアドレスに対応する防災設備情報における設置位置と、同情報に含まれる位置情報が示す位置とが合致しないと判定された場合には（Ｓａ５）、すなわち、火災感知器１の位置の変更がなされていた場合には、防災設備情報を構成する当該設置位置情報が、携帯端末７の位置情報で更新される（Ｓａ６）。
【００５４】
２．変形例
上記の実施形態は下記のように変形してもよい。また、下記の変形例は他の１以上の変形例と組み合わせてもよい。
【００５５】
＜変形例１＞
上記の設置位置自動反映動作において、判定部８０４による判定結果を一旦携帯端末７に表示させて、当該端末を携帯する作業員の指示を受けてから防災設備情報を修正するようにしてもよい。すなわち、情報サーバ８は、判定部８０４による判定結果を携帯端末７に表示させる判定情報を送信する「判定情報送信手段」の一例である判定情報送信部をさらに備えてもよい。
【００５６】
＜変形例２＞
上記の設置位置自動反映動作において、火災感知器１は、自己のビーコン信号を受信した携帯端末７の位置情報を情報サーバ８から火災受信機３を経由して受信し、以後は自己のアドレスとともに当該位置情報を重畳したビーコン信号を発信するようにしてもよい。すなわち、火災感知器１は、自己のビーコン信号を受信した携帯端末７の位置情報を受信し、自己の設置位置情報として記憶する「設置位置情報記憶手段」の一例である設置位置情報記憶部と、自己のアドレスと同位置情報とを含む感知器位置情報を送信する「感知器位置情報送信手段」の一例である感知器位置情報送信部とをさらに備えてもよい。
【００５７】
＜変形例３＞
上記の変形例２に記載のように、火災感知器１が設置位置情報記憶部と感知器位置情報送信部とを備える場合には、ステップＳａ５の判定処理は携帯端末７で実行されてもよい。すなわち、携帯端末７は、火災感知器１から感知器位置情報を受信して、当該感知器位置情報に含まれる設置位置情報が示す設置位置と、自己の位置情報が示す現在位置とが合致するか否かを判定する「判定手段」の一例である判定部を備えてもよい。そして、携帯端末７は、判定結果が否定的である場合には、情報サーバ８に対して防災設備情報の修正を指示するようにしてもよい。
【００５８】
＜変形例４＞
上記の設置位置自動反映動作において、位置情報に代えて火災感知器１のアドレス同士を照合して、火災感知器１が防災設備図上の設置位置に設置されているか否かを判定するようにしてもよい。具体的には、情報サーバ８の判定部８０４は、携帯端末７から受信された感知器位置情報に含まれる携帯端末７の位置情報と防災設備情報において対応する火災感知器１のアドレスと、該感知器位置情報に含まれる火災感知器１のアドレスとが合致するか否かを判定するようにしてもよい。そして、この判定の結果が否定的であった場合には、防災設備情報修正部８０５が防災設備情報のアドレスを修正すればよい。
【００５９】
＜変形例５＞
上記のアドレス確認動作において、携帯端末７に表示された２つのアドレスが異なっていた場合に、作業員は当該端末を操作して、情報サーバ８に対して防災設備情報の修正を指示してもよい。具体的には、防災設備情報においてに対応するアドレスを、受信されたビーコン信号に重畳されたアドレスで更新するように情報サーバ８に指示してもよい。
【００６０】
＜変形例６＞
上記の作動時／故障時動作において、建物情報記憶部８１１を携帯端末７に備えさせ、携帯端末７の側でステップＳｃ４の経路探索を実行させるようにしてもよい。経路探索で使用される、状態変化を感知した火災感知器１の設置位置情報は、情報サーバ８から携帯端末７に送信される。
【００６１】
＜変形例７＞
上記の実施形態に係る火災感知器１は、ＢＬＥに従ってビーコン信号を発信しているが、他の近距離無線通信規格に従ってビーコン信号を発信してもよい。例えば、ＺｉｇＢｅｅに従ってビーコン信号を発信してもよい。
【００６２】
＜変形例８＞
上記の実施形態に係る携帯端末７では、無線ＬＡＮのアクセスポイントから発信されるビーコン信号を利用して測位が行われているが、ＰＤＲ（歩行者デッドレコニング）を併用してもよい。または、他の測位技術が用いられてもよい。例えば、ＩＭＥＳ（Indoor Messaging System）を利用した測位方式や、音波信号を利用した測位方式を採用してもよい。
【００６３】
＜変形例９＞
上記の実施形態に係る火災感知器１は、本発明に係る感知器の一例である。感知器は、ガス漏れ検知器２であってもよいし、漏電や水漏れや地震等の他の異状を感知する感知器であってもよい。
【００６４】
＜変形例１０＞
上記の実施形態に係る情報サーバ８が備える機能の全部又は一部は、火災受信機３又は総合操作盤により提供されてもよい。その場合、火災受信機３又は総合操作盤は、支援システム２００を構成する。
【符号の説明】
【００６５】
１…火災感知器、２…ガス漏れ検知器、３…火災受信機、４…中継器、５…音声警報装置、６…中継器、７…携帯端末、８…情報サーバ、１１…識別情報送信部、１２…火災検出部、１３…状態変化信号送信部、７１…識別情報受信部、７２…位置検出部、７３…感知器位置情報送信部、７４…端末位置情報送信部、７５…アドレス受信部、７６…アドレス表示部、７７…経路案内情報受信部、７８…経路案内表示部、１００…自動火災報知設備、２００…支援システム、８０１…感知器位置情報受信部、８０２…防災設備情報記憶部、８０３…設置位置特定部、８０４…判定部、８０５…防災設備情報修正部、８０６…端末位置情報受信部、８０７…アドレス特定部、８０８…アドレス送信部、８０９…感知器状態情報受信部、８１０…端末位置情報取得部、８１１…建物情報記憶部、８１２…経路探索部、８１３…経路案内情報送信部、Ｃ１…信号線、Ｃ２…信号線、Ｃ３…通信回線
【図１】
2020009465.tif 000003
【図２】
2020009465.tif 000004
【図３】
2020009465.tif 000005
【図４】
2020009465.tif 000006
【図５】
2020009465.tif 000007